(57)【特許請求の範囲】
【請求項１】
単一クロックサイクル中に、任意の行の任意のセルにおいて同時に複数の書き込み及び読み出しが可能な第１及び第２のフリップフロップ格納要素を用い、画像データを処理するための方法であって、
単一クロックサイクルで構成される第１の期間中に、第１の画像データに相当し、一つ以上の量子化された周波数係数の第１のセットを含む第１のフリップフロップ格納要素の所定のシーケンスで配列された内容を符号化して第１の画像データに対する第１の符号化データを生成し、
前記第１の期間中に、第２の画像データに相当し、一つ以上の量子化された周波数係数の第２のセットを、第２のフリップフロップ格納要素に前記所定のシーケンスに基づく配列で同時に格納し、
前記第１のフリップフロップ格納要素の前記内容を符号化し、前記一つ以上の量子化された周波数係数の第２のセットを前記第２のフリップフロップ格納要素に格納した後で、単一クロックサイクル中に前記第１のフリップフロップ格納要素の前記内容をゼロに設定し、
前記第１の期間の後の単一クロックサイクルで構成される第２の期間中に、前記第１の期間中に格納された前記一つ以上の量子化された周波数係数の第２のセットを含む、前記第２のフリップフロップ格納要素の内容を符号化して前記第２の画像データに対する第２の符号化データを生成し、
前記第２の期間中に、第３の画像データに相当し、一つ以上の量子化された周波数係数の第３のセットを、前記第１のフリップフロップ格納要素に前記所定のシーケンスに基づく配列で同時に格納することを含み、
前記第１の期間の前の第３の期間中に、前記一つ以上の量子化された周波数係数の第１のセットを前記第１のフリップフロップ格納要素に同時に格納することを含み、
前記第３の期間中に前記一つ以上の量子化された周波数係数の第１のセットを同時に格納することは、さらに、
サンプルブロックにグループ化されている前記第１の画像データを受け取り、
前記第１の画像データに空間周波数変換を実行して、前記第１の画像データの空間周波数変換を表す一つ以上の周波数係数の第１のセットを生成し、
前記一つ以上の周波数係数の第１のセットを量子化して前記一つ以上の量子化された周波数係数の第１のセットを生成し、
前記一つ以上の量子化された周波数係数の第１のセットを前記所定のシーケンスで配列し、
前記一つ以上の量子化された周波数係数の第１のセットを前記第１のフリップフロップ格納要素に前記所定のシーケンスに基づく配列で同時に格納することを含む方法。
【請求項２】
請求項１に記載の方法であって、
前記第１の期間中に前記一つ以上の量子化された周波数係数の第２のセットを格納することは、
前記サンプルブロックにグループ化された前記第２の画像データを受け取り、
前記第２の画像データに空間周波数変換を実行して、前記第２の画像データの前記空間周波数変換を表す一つ以上の周波数係数の第２のセットを生成し、
前記一つ以上の周波数係数の第２のセットを量子化して、前記一つ以上の量子化された周波数係数の第２のセットを生成し、
前記一つ以上の量子化された周波数係数の第２のセットを前記所定のシーケンスで配列し、
前記一つ以上の量子化された周波数係数の第２のセットを前記第２のフリップフロップ格納要素に前記所定のシーケンスに基づく配列で同時に格納することを含む方法。
【請求項３】
請求項１又は２に記載の方法であって、さらに、
前記第１又は第２のフリップフロップ格納要素を書き込み格納要素として選択し、
前記格納することは、前記選択されたフリップフロップ格納要素において、前記所定のシーケンスに基づく配列で同時に前記一つ以上の量子化された周波数係数を格納することを含む方法。
【請求項４】
請求項１乃至３のいずれか１項に記載の方法であって、さらに、
前記第３の期間中に、単一クロックサイクルで複数の周波数係数を量子化して、少なくとも前記一つ以上の量子化された周波数係数の第１のセットの一部を生成することを含む方法。
【請求項５】
請求項１乃至４のいずれか１項に記載の方法であって、
前記空間周波数変換は、離散コサイン変換である方法。
【請求項６】
請求項１乃至５のいずれか１項に記載の方法であって、
前記第１もしくは第２のフリップフロップ格納要素のいずれかの内容を符号化することは、前記各符号化データの最後を示すためにブロック終結マーカーを符号化することを含む方法。
【請求項７】
請求項１乃至６のいずれか１項に記載の方法であって、
前記第１のフリップフロップ格納要素の内容を符号化することは、前記第１のフリップフロップ格納要素の内容にエントロピー符号化を実行することにより実行される方法。
【請求項８】
単一クロックサイクル中に、任意の行の任意のセルにおいて同時に複数の書き込み及び読み出しが可能な第１及び第２のフリップフロップ格納要素を用い、画像データを処理するための方法であって、
単一クロックサイクルで構成される第１の期間中に、第１の画像データの空間周波数変換を表す一つ以上の周波数係数の第１のセットを含む第１のフリップフロップ格納要素の所定のシーケンスで配列された内容に逆空間周波数変換を実行して第１の画像データを生成し、
前記第１の期間中に、第２の画像データの空間周波数変換を表す一つ以上の周波数係数の第２のセットを第２のフリップフロップ格納要素に前記所定のシーケンスに基づく配列で同時に格納し、
前記第１のフリップフロップ格納要素の内容に逆空間周波数変換を実行し、前記一つ以上の周波数係数の第２のセットを第２のフリップフロップ格納要素に格納した後で、単一クロックサイクル中に前記第１のフリップフロップ格納要素の前記内容をゼロに設定し、
前記第１の期間の後の単一クロックサイクルで構成される第２の期間中に、前記第１の期間中に格納された前記一つ以上の周波数係数の前記第２のセットを含む前記第２のフリップフロップ格納要素の内容に逆空間周波数変換を実行して前記第２の画像データを生成し、
前記第２の期間中に、第３の画像データの空間周波数変換を表す一つ以上の周波数係数の第３のセットを前記第１のフリップフロップ格納要素に前記所定のシーケンスに基づく配列で同時に格納することを含む方法。
【請求項９】
請求項８に記載の方法であって、さらに、
前記第１の期間の前の第３の期間中に、前記一つ以上の周波数係数の第１のセットを前記第１のフリップフロップ格納要素に同時に格納することを含み、
前記第３の期間中に前記一つ以上の周波数係数の第１のセットを同時に格納することは、さらに、
前記所定のシーケンスで配列され、一つ以上の量子化された周波数係数の第１のセットを受け取り、
前記一つ以上の量子化された周波数係数の第１のセットを前記所定のシーケンスの逆で配列し、
前記一つ以上の量子化された周波数係数の第１のセットを逆量子化して、前記一つ以上の周波数係数の第１のセットを生成し、
前記一つ以上の周波数係数の第１のセットを前記第１のフリップフロップ格納要素に格納することを含む方法。
【請求項１０】
請求項９に記載の方法であって、
前記第１の期間中に、前記一つ以上の周波数係数の第２のセットを格納することは、
前記所定のシーケンスで配列された一つ以上の量子化された周波数係数の第２のセットを受け取り、
前記一つ以上の量子化された周波数係数の第２のセットを前記所定のシーケンスの逆のシーケンスで配列し、
前記一つ以上の量子化された周波数係数の第２のセットを逆量子化して、前記一つ以上の周波数係数の第２のセットを生成し、
前記一つ以上の周波数係数の第２のセットを前記第２のフリップフロップ格納要素に格納することを含む方法。
【請求項１１】
請求項１０に記載の方法であって、さらに、
前記第３の期間中、前記第１の画像データに相当する第１の符号化データを受け取り、前記第１の符号化データを復号化して、前記所定のシーケンスで配列された前記一つ以上の量子化された周波数係数の第１のセットを提供し、
前記第１の期間中、前記第２の画像データに相当する第２の符号化データを受け取り、前記第２の符号化データを復号化して、前記所定のシーケンスで配列された前記一つ以上の量子化された周波数係数の第２のセットを提供することを含む方法。
【請求項１２】
請求項９乃至１１のいずれか１項に記載の方法であって、さらに、
前記第１又は第２のフリップフロップ格納要素を書き込み格納要素として選択し、
前記格納することは、前記選択されたフリップフロップ格納要素において、前記所定のシーケンスに基づく配列で同時に前記一つ以上の量子化された周波数係数を格納することを含む方法。
【請求項１３】
請求項８乃至１２のいずれか１項に記載の方法であって、
ブロック終結マーカーが前記第１のフリップフロップ格納要素の内容の中で検出された場合、前記第１の期間中の前記逆空間周波数変換の実行が停止される方法。
【請求項１４】
画像処理システムであって、
単一クロックサイクル中に、任意の行の任意のセルにおいて同時に複数の書き込み及び読み出しが可能な第１及び第２のフリップフロップ格納要素と、
制御システムと、
を備え、
前記制御システムは、
単一クロックサイクルで構成される第１の期間中に、第１の画像データに相当し、一つ以上の量子化された周波数係数の第１のセットを含む第１のフリップフロップ格納要素の所定のシーケンスで配列された内容を符号化して第１の画像データに対する第１の符号化データを生成し、
前記第１の期間中に、第２の画像データに相当し、一つ以上の量子化された周波数係数の第２のセットを、第２のフリップフロップ格納要素に前記所定のシーケンスに基づく配列で同時に格納し、
前記第１のフリップフロップ格納要素の前記内容を符号化し、前記一つ以上の量子化された周波数係数の第２のセットを前記第２のフリップフロップ格納要素に格納した後で、単一クロックサイクル中に前記第１のフリップフロップ格納要素の前記内容をゼロに設定し、
前記第１の期間の後の単一クロックサイクルで構成される第２の期間中に、前記第１の期間中に格納された前記一つ以上の量子化された周波数係数の第２のセットを含む、前記第２のフリップフロップ格納要素の内容を符号化して前記第２の画像データに対する第２の符号化データを生成し、
前記第２の期間中に、第３の画像データに相当し、一つ以上の量子化された周波数係数の第３のセットを、前記第１のフリップフロップ格納要素に前記所定のシーケンスに基づく配列で同時に格納することを含み、
前記第１の期間の前の第３の期間中に、前記一つ以上の量子化された周波数係数の第１のセットを前記第１のフリップフロップ格納要素に同時に格納することを含み、
前記第３の期間中に前記一つ以上の量子化された周波数係数の第１のセットを同時に格納することは、さらに、
サンプルブロックにグループ化されている前記第１の画像データを受け取り、
前記第１の画像データに空間周波数変換を実行して、前記第１の画像データの空間周波数変換を表す一つ以上の周波数係数の第１のセットを生成し、
前記一つ以上の周波数係数の第１のセットを量子化して前記一つ以上の量子化された周波数係数の第１のセットを生成し、
前記一つ以上の量子化された周波数係数の第１のセットを前記所定のシーケンスで配列し、
前記一つ以上の量子化された周波数係数の第１のセットを前記第１のフリップフロップ格納要素に前記所定のシーケンスに基づく配列で同時に格納することを含む画像処理システム。
【請求項１５】
画像処理システムであって、
単一クロックサイクル中に、任意の行の任意のセルにおいて同時に複数の書き込み及び読み出しが可能な第１及び第２のフリップフロップ格納要素と、
制御システムと、
を備え、
単一クロックサイクルで構成される第１の期間中に、第１の画像データの空間周波数変換を表す一つ以上の周波数係数の第１のセットを含む第１のフリップフロップ格納要素の所定のシーケンスで配列された内容に逆空間周波数変換を実行して第１の画像データを生成し、
前記第１の期間中に、第２の画像データの空間周波数変換を表す一つ以上の周波数係数の第２のセットを第２のフリップフロップ格納要素に前記所定のシーケンスに基づく配列で同時に格納し、
前記第１のフリップフロップ格納要素の内容に逆空間周波数変換を実行し、前記一つ以上の周波数係数の第２のセットを第２のフリップフロップ格納要素に格納した後で、単一クロックサイクル中に前記第１のフリップフロップ格納要素の前記内容をゼロに設定し、
前記第１の期間の後の単一クロックサイクルで構成される第２の期間中に、前記第１の期間中に格納された前記一つ以上の周波数係数の前記第２のセットを含む前記第２のフリップフロップ格納要素の内容に逆空間周波数変換を実行して前記第２の画像データを生成し、
前記第２の期間中に、第３の画像データの空間周波数変換を表す一つ以上の周波数係数の第３のセットを前記第１のフリップフロップ格納要素に前記所定のシーケンスに基づく配列で同時に格納することを含む画像処理システム。
【発明の詳細な説明】
【技術分野】
【０００１】
本発明は、画像データ処理に関する。
【背景技術】
【０００２】
近年、さまざまな種類の印刷デバイスが業務用および民生用の両方で普及してきている。従来の白黒のプリンターに加え、カラープリンター、スキャナ、コピー機、ファックス機、およびその他の装置も今日では一般的である。これらの機能の二つ以上に対応している複合機（ＭＦＰ）もまた広く普及している。いろいろな機能がある中でも、これらのデバイスは画像データを処理するために使用される。
【０００３】
前記画像データの処理には、例えば、画像データの圧縮と符号化、および／または画像データの解凍と復号化を挙げることができる。画像処理技術の一つの例には、ジョイント・フォトグラフィック・エキスパート・グループ（ＪＰＥＧ）がある。一般的に、画像データのＪＰＥＧ符号化プロセスには、空間周波数変換、量子化，データシーケンシング（順序付け）、およびエントロピー符号化が挙げられ、そして画像データのＪＰＥＧ復号化プロセスには、一般的に、ＪＰＥＧ符号化プロセスの逆のプロセスが挙げられる。
【０００４】
先行技術の配置を改善もしくは少なくとも一つ以上の有用な代替案を提供して画像データ処理をより電力効率を良くしかつ高速化することが望まれている。
【発明の概要】
【０００５】
例示の実施形態において、画像データを処理するための方法は、第１の期間中に、第１のフリップフロップ格納要素の内容を符号化して第１の画像データに対する第１の符号化データを生成する。本例では、前記第１のフリップフロップ格納要素の内容は、前記第１の画像データに相当し所定のシーケンスに順序付けられた一つ以上の量子化された周波数係数の第１のセットを含む。さらに、前記方法は、前記第１の期間中に、前記所定のシーケンスに順序付けられた一つ以上の量子化された周波数係数の第２のセットを第２のフリップフロップ格納要素に格納することを含む。本例では、前記一つ以上の量子化された周波数係数の第２のセットは、第２の画像データに相当する。前記方法は、また、前記第１のフリップフロップ格納要素の前記内容を符号化し、そして前記一つ以上の量子化された周波数係数の第２のセットを前記第２のフリップフロップ格納要素に格納した後で、前記第１のフリップフロップ格納要素の前記内容をゼロに設定することを含む。本例は、また、前記第１の期間の後の第２の期間中に、前記第２のフリップフロップ格納要素の内容を符号化して、前記第２の画像データに対する第２の符号化データを生成することを含む。前記第２のフリップフロップ格納要素の前記内容は、前記第１の期間中に格納された前記一つ以上の量子化された周波数係数の第２のセットを含む。これに加えて，前記第２の期間中に、前記方法は、所定のシーケンスに順序付けられた一つ以上の量子化された周波数係数の第３のセットを、前記第１のフリップフロップ格納要素に格納することを含む。前記一つ以上の量子化された周波数係数の第３のセットは、第３の画像データに相当する。
【０００６】
別の例示の実施形態では、画像データを処理するための方法は、第１の期間中に、第１のフリップフロップ格納要素の内容に逆空間周波数変換を実行して第１の画像データを生成することを含む。本例では、前記第１のフリップフロップ格納要素の前記内容は、前記第１の画像データの空間周波数変換を表す一つ以上の周波数係数の第１のセットを含む。さらに、前記方法は、前記第１の期間中に、一つ以上の周波数係数の第２のセットを第２のフリップフロップ格納要素に格納することを含む。本例では、前記一つ以上の周波数係数の第２のセットは、第２の画像データの空間周波数変換を表す。前記方法は、また、前記第１のフリップフロップ格納要素の内容に逆空間周波数変換を実行し、前記一つ以上の周波数係数の第２のセットを前記第２のフリップフロップ格納要素に格納した後で、前記第１のフリップフロップ格納要素の前記内容をゼロに設定することを含む。これに加えて，前記第１の期間の後の第２の期間中に、前記方法は、前記第２のフリップフロップ格納要素の内容に逆空間周波数変換を実行して前記第２の画像データを生成することを含む。前記第２のフリップフロップ格納要素の前記内容は、前記第１の期間中に格納された前記一つ以上の周波数係数の第２のセットを含む。さらに、前記第２の期間中に、前記方法は、一つ以上の周波数係数の第３のセットを前記第１のフリップフロップ格納要素に格納することを含む。前記一つ以上の周波数係数の第３のセットは、第３の画像データの空間周波数変換を表す。
【０００７】
さらなる例示の実施形態では、画像処理システムは、第１のフリップフロップバンクおよび第２のフリップフロップバンクおよび画像データのＪＰＥＧ処理を制御するように構成された制御システムを含む。本例では、前記制御システムは、さらに、第１の期間中、前記第１もしくは第２のフリップフロップバンクの一つを書き込みバンクとしておよび前記第１もしくは第２のフリップフロップバンクの他方を読み出しバンクとして使用し、そして第２の期間中、前記書き込みバンクおよび読み出しバンクとしての前記第１および第２のフリップフロップバンクの前記使用を互い違いにするように構成されている。前記制御システムは、また、前記使用を互い違いにした後、前記読み出しバンクをゼロに初期化するように構成されている。
【０００８】
他の態様、有利な点、および代替案と同様、これらのことは、必要に応じて添付図面を参照して以下の詳細な説明を読むことによって当業者にとって明白になるであろう。さらに、本明細書における当該概要および他のセクションで提供されている説明は、請求されている主題を限定のためでなく例として示すことを意図していることを理解されたい。
【図面の簡単な説明】
【０００９】
【図１】例示の実施形態に係る印刷デバイスを示す。
【００１０】
【図２Ａ】例示の実施形態に係る、印刷デバイスの画像処理構成要素をブロック図にて示す。
【００１１】
【図２Ｂ】例示の実施形態に係る、画像処理において使用する格納要素およびデータをブロック図にて示す。
【００１２】
【図３】８ｘ８データブロック用の所定のデータシーケンスの一例である。
【００１３】
【図４Ａ】例示の実施形態に係る、印刷デバイスの画像処理構成要素をブロック図にて示す。
【００１４】
【図４Ｂ】例示の実施形態に係る、画像処理において使用する格納要素およびデータをブロック図にて示す。
【００１５】
【図５】例示の実施形態に従って画像データを符号化する方法を示す。
【００１６】
【図６】例示の実施形態に従って画像データを復号化する方法を示す。
【００１７】
【図７】本開示のさまざまな実施形態で使用する格納要素の一例のブロック図である。
【発明を実施するための形態】
【００１８】
本明細書において方法とシステムの例を記述する。さらに他の例示的な実施形態もしくは特徴を利用することは可能であり、また本明細書において提示されている主題の主旨もしくは範囲から逸脱することなく、その他の変更をすることは可能である。以下の詳細な説明において、本明細書の一部を構成する添付図面を参照する。
【００１９】
本明細書において記載されている例示的な実施形態は限定することを意図するものではない。本明細書において全般的に記載され、そして図面に示されているように、本開示の諸態様は、様々に異なる構成に配置し、置き換え、結合し、分離し、および設計することは容易に理解されるであろう、そしてそれらの全てが本明細書において明瞭に熟慮されている。
［１．概要］
【００２０】
印刷技術は、白黒画像のみを生成する簡単なドットマトリクスベースの出力デバイスから高解像度のカラー画像を生成することができる今日の進歩したレーザーベースの印刷デバイスへと過去３０年以上にわたって発展してきた。それと共に、最近の印刷デバイスは、また、コピー機、スキャナ、およびファックス機として機能することも可能である。そうするため、印刷デバイスは、印刷しもしくはファックスするために待ち行列に入れられ、またはスキャンされた多くの電子文書に対する画像データを格納することができる場合がある。従って、多くの印刷デバイスは、例えば、一つ以上の処理部、データ記憶部、および入出力インターフェースを含むことが可能なコンピューティング・デバイスの特殊な形態である。
【００２１】
住宅、企業もしくは別の種類の場所で使用されるかどうかにかかわらず、印刷デバイスは、他のいろいろなコンピューティング・デバイスと通信可能に接続可能な共有のリソースであり得る。従って、状況によっては、多くのコンピューティング・デバイスが印刷のために電子文書を印刷デバイスに送信する場合があるので、印刷デバイスに対する格納および処理の要求はかなり高い場合がある。一般的には、印刷デバイスは、早着順に一度に一つの電子文書を印刷、コピー、ファックス、および／またはスキャンすることがよくある。従って、印刷デバイスは、ともすれば、処理されるのを待っている多数の電子文書を格納する場合がある。データの記憶装置（例えば、ランダム・アクセス・メモリ（ＲＡＭ），固体メモリ、ハードドライブメモリ、および／またはフラッシュメモリなどのメモリ）のコストは高価である可能性があるので、印刷デバイスのデータ記憶の要求量を低減するために、格納された電子文書を圧縮することは有益であろう。それと共に、電子文書によっては、印刷デバイスからコンピューティング・デバイスへ、および／またはコンピューティング・デバイスから印刷デバイスへ転送される場合があるので、当該電子文書を圧縮することにより、より早く転送することができ、しかもネットワーク容量の使用をより少なくすることができる。
【００２２】
さらに、印刷ジョブは多量な場合がある（例えば、印刷ジョブは、何百ページも含む一つ以上の電子文書を含む場合がある）ので、列の中で順番を待っている印刷ジョブを圧縮することにより、各ジョブが印刷される前の短期格納スペースを節約する。これに加えて，ユーザは、後日印刷するために印刷ジョブを長期の記憶装置に保管したい場合がある。従って、印刷ジョブを圧縮することにより、より多くの印刷ジョブを保管できる可能性がある。さらに、大量の印刷ジョブを長期の記憶装置に格納したり検索する動作は手間がかかる可能性があるが、印刷ジョブを圧縮して大きさを小さくすることにより早めることが可能である。
［２．印刷デバイスの例］
【００２３】
図１は例示の印刷デバイス２０を示す。印刷デバイス２０は、部分的におよび／または全体的に格納されている電子文書を各種の物理的出力媒体に印刷するよう構成することができる。当該出力媒体は、いろいろな大きさと種類の紙、オーバーヘッドプロジェクタ用透明フィルムなどを含むが、これらに限定はされない。印刷デバイス２０は、同義的に「プリンター」と呼んでもよい。
【００２４】
印刷デバイス２０は、パーソナルコンピュータ、サーバーデバイス、プリンターサーバー等の他のコンピューティング・デバイスに対するローカル周辺装置としての働きをする場合がある。この場合、印刷デバイス２０は、シリアルポートケーブル、パラレルポートケーブル、ユニバーサルシリアルバス（ＵＳＢ）ケーブル、ファイヤーワイヤー（ＩＥＥＥ１３９４）ケーブル、もしくは高解像度マルチメディアインターフェース（ＨＤＭＩ）ケーブル等のケーブルによってコンピューティング・デバイスに接続することができる。こうして、コンピューティング・デバイスは、印刷デバイス２０に対して電子文書の供給源としての働きをすることができる。
【００２５】
一方、印刷デバイス２０は、イーサネットもしくは８０２．１１（Ｗｉｆｉ）インターフェース等の有線もしくは無線のネットワークインターフェースを含み得る。そのように配置されて、印刷デバイス２０は、ネットワークを介して印刷デバイス２０と通信可能な任意の数のコンピューティング・デバイスに対する印刷デバイスとしての働きをすることができる。実施形態によっては、印刷デバイス２０は、ローカル周辺装置およびネットワーク接続されたプリンターの両方としての働きを同時にすることが可能である。印刷デバイス２０を使用するために、コンピューティング・デバイスは、一つ以上のプリンタードライバーを組み込む場合がある。当該プリンタードライバーは、印刷される電子文書を表す画像データを、コンピューティング・デバイスに格納された各種のローカル表現から印刷デバイス２０によりサポートされる一つ以上の表現に変換するソフトウェアコンポーネントを含み得る。それでも、印刷デバイス２０は、コンピューティング・デバイスとみなすことができ、印刷関連および非印刷関連のタスクの両方を実行することが可能である。
【００２６】
上記に述べたように、印刷デバイス２０は、また、コピー機、ファックス機、およびスキャナの機能を含み得る。実施形態によっては、印刷デバイス２０は、コピー機および／またはファックス機の機能を促進するためスキャナ機能を用いることが可能である。例えば、印刷デバイス２０は、物理的文書をスキャンして電子フォーマットにし、次に得られた電子文書を印刷してコピーを提供し、および／または電話インターフェースを介して得られた電子文書を送信してファックス機能を提供する。
【００２７】
各種機能に対応するために、印刷デバイス２０は、原稿の給紙／排紙トレイ２２、用紙保管部２４、ユーザインターフェース２６、スキャニング要素２８、および筐体３０を含む。印刷デバイスはさまざまな形態を採り得ることを理解されるべきである。従って、印刷デバイス２０は、図１に示された構成要素よりも多いもしくは少ない構成要素、および／または図１に示された構成要素にくらべて異なった仕方で配置された構成要素を含む可能性がある。
【００２８】
原稿の給紙／排紙トレイ２２は、スキャンされ、コピーされ、もしくはファックスされる物理的文書（例えば、一枚以上の紙の積み重ねた山）を保持することができる。原稿の給紙／排紙トレイ２２は、印刷デバイス２０による処理のために、印刷デバイス２０が、人手を介することなく、複数枚の物理的文書を自動的に送り出すことを可能にする。原稿の給紙／排紙トレイ２２は、また、印刷デバイス２０によって処理された物理的文書を保持するための一つ以上の分離した排紙トレイを含み得る。これらには、印刷デバイス２０によりスキャンされ、コピーされもしくはファックスされた物理的文書と共に、例えば、印刷デバイス２０のファックスおよび／またはコピー機能により生成された物理的文書も含まれ得る。
【００２９】
用紙保管部２４は、各種の物理的媒体のためのトレイおよび／または給紙要素を含み得る。例えば、用紙保管部２４は、８．５ｘ１１インチ用紙、Ａ４用紙、レターヘッドのある用紙、封筒等のための別個のトレイを含み得る。物理的媒体を生成する（例えば、印刷、コピー、および／またはファックスの受信）ことに係わる印刷デバイス２０のあらゆる機能のために、用紙保管部２４は、物理的媒体を供給することが可能である。
【００３０】
ユーザインターフェース２６は、ユーザからの入力を受け取ることおよびユーザに出力を提供すること等、印刷デバイス２０と人もしくは人以外のユーザとの情報交換を促進することが可能である。したがって、ユーザインターフェース２６は、キーパッド、キーボード、タッチパネルもしくは存在感知パネル、ジョイスティック、マイクロホン、静止カメラおよび／またはビデオカメラ等、入力構成要素を含み得る。ユーザインターフェース２６は、また、（例えば、存在感知パネルと組み合わせることが可能である）表示画面、陰極線管（ＣＲＴ），液晶ディスプレイ（ＬＣＤ）、発光ダイオード（ＬＥＤ）ベースのディスプレイ、デジタル光処理（ＤＬＰ：登録商標）技術を使用したディスプレイ、電球、および／または既知もしくは今後開発される一つ以上の類似なデバイス等、一つ以上の出力構成要素を含み得る。ユーザインターフェース２６は、また、スピーカー、スピーカージャック、オーディオ出力ポート、オーディオ出力デバイス、イヤホンおよび／または既知もしくは今後開発される他の類似のデバイスを介して可聴出力を生成することができるように構成することが可能である。
【００３１】
スキャニング要素２８は、その下で、可動光源がガラスパネルの上に置かれた物理的媒体をスキャンするよう動作するガラスパネルであり得る。あるいは、ガラスパネルの下のデジタルカメラが、物理的媒体の写真を撮ることにより、ガラスパネルの上に置かれた物理的媒体を「スキャンする」ことが可能である。スキャンされた物理的媒体の画像は、印刷デバイス２０に関連付けられたデータ記憶部に格納され得る。
【００３２】
筐体３０は、原稿の給紙／排紙トレイ２２、用紙保管部２４、ユーザインターフェース２６、およびスキャニング要素２８等印刷デバイス２０の各種構成要素を収容しおよび／または相互に接続する物理的ハウジングを含み得る。それと共に、筐体３０は、図１に示されていない他の構成要素を収容することができる。例えば、筐体３０は、一つ以上のトナーカートリッジ、液体インクジェット、ベルト、ローラー、および／または電源を収容することが可能である。さらに、筐体３０は、有線および／または無線ネットワークインターフェース、電話インターフェース（例えば、ＲＪ４５ジャック）、ＵＳＢインターフェース、ＢＬＵＥＴＯＯＴＨ（登録商標）インターフェース、カード読取部のポート等の通信インターフェースを含み得る。
【００３３】
さらに、印刷デバイス２０は、汎用のおよび／または特別に設計されたコンピューティング・デバイス構成要素を搭載する場合があるので、筐体３０は、また、当該構成要素のいくつかもしくは全てを収容する場合がある。例えば，印刷デバイス２０は、処理部およびデータ記憶部（明示はされていない）を含み得る。一般的に、処理部は、一つ以上の汎用プロセッサ等の一つ以上の中央処理装置（ＣＰＵ）および／または一つ以上の専用プロセッサ（例えば、特定用途向け集積回路（ＡＳＩＣ）もしくはデジタル信号プロセッサ（ＤＳＰ）等）を含み得る。データ記憶部は、揮発性および／または不揮発性データ記憶部を含むことが可能で、処理部に全体的にもしくは部分的に統合され得る。データ記憶部は、処理部により実行可能なプログラム命令、および本明細書に記載されている各種の方法、プロセス、もしくは機能を実行するために当該命令によって操作されるデータを格納することが可能である。あるいは、当該方法、プロセス、もしくは機能は、ハードウェア、ファームウェア、および／またはハードウェア、ファームウェア、およびソフトウェアの任意の組み合わせによって規定することができる。従って、データ記憶部は、一つ以上のプロセッサにより実行される際、本明細書もしくは添付図面で開示された任意の方法、プロセスあるいは機能を印刷デバイス２０に実行させるプログラム命令を格納している、有形で非一時的でコンピュータ読み取り可能な媒体を含み得る。
【００３４】
さらに、印刷デバイス２０の構成要素は、また、画像データを圧縮／符号化および／または解凍／復号化するためのハードウェアおよび／またはソフトウェアコンポーネントを含み得る。
［３．画像データの符号化器および復号器の例］
【００３５】
図２Ａおよび図４Ａは、印刷デバイス２０に含まれ得るコンピューティング・デバイス構成要素（例えば、コンピューティング・デバイスの機能要素）の例示の実施形態を示す。最初に図２Ａを参照すると、例示の画像データ符号化器４０が示されている。符号化器４０は、画像データ４２を受け取るように構成されている。図示の例において、画像データ４２は、画像データブロック（例えば、８ｘ８画素ブロック）に分割されており、画像データブロックは、符号化器４０の空間周波数変換器４４に提供される。空間周波数変換器４４は、画像データへ離散コサイン変換（ＤＣＴ）の実行等、空間周波数変換を行う。画像データに空間周波数変換を行うことにより、画像データブロックに対する空間周波数変換を表す一つ以上の周波数係数のセットをもたらす。８ｘ８画素ブロックの例において、空間周波数変換器４４は、単一のクロックサイクルで１個と６４個の間の周波数係数を生成するように構成されている。図２Ｂを参照して、一例を挙げれば、当該得られた周波数係数Ｓｕｖは、格納要素６０に格納され得る。別の例では、得られた１個乃至６４個の周波数係数Ｓｕｖのセットは、別個に格納される必要はなく、より詳細に後述するように、量子化器、データシーケンサ、およびデータ読み出し／書き込みブロックによる単一動作（例えば、単一クロックサイクル）で操作される。
【００３６】
例えば，１個乃至６４個の周波数係数Ｓｕｖのセットは、次に直ちに量子化器４６により操作され得る。量子化器４６は、一つ以上の量子化された周波数係数のセット等、量子化されたデータを生成する。一般的に、量子化は、画像データが空間周波数変換操作により周波数領域に変換された後で、高周波成分を低減もしくは除去するための処理である。量子化器４６は、量子化係数を含む量子化テーブルを用いて、周波数係数を操作する。より具体的には、符号化器４０において、量子化器４６は、周波数係数Ｓｕｖを対応する量子化係数で除算して量子化された周波数係数のセットを生成する。図２Ｂは、量子化係数Ｑｕｖが、格納要素６２に格納され得るもしくはそうでない場合、クロックサイクルごとに１個もしくは６４個までの量子化係数Ｑｕｖが使用できる量子化器に対して入力として使用可能とされる例を示す。量子化器４６は、また、除算の結果を丸めて重要でない高周波成分を除去することが可能である。
【００３７】
本例において、量子化器４６により生成された量子化された周波数係数Ｓｑｕｖのセットは、次に、直ちに、単一操作もしくは単一のクロックサイクルで、データシーケンサ４８に提供され得る。データシーケンサ４８は、量子化された周波数係数Ｓｑｕｖのセットを所定のシーケンスで配列するように構成されている。そのような一つのシーケンスは、図３で示されているジグザグシーケンスである。図２Ｂは、また、ジグザグシーケンス操作を示すブロック６４を示す。
【００３８】
データシーケンサ４８に続き、データ読み出し／書き込みブロック５０が設けられて量子化された周波数係数Ｓｑｕｖを「書き込み」格納要素すなわちバンクに書き込む。１個と６４個の係数の間で（例えば、８ｘ８画素ブロックに対して）拡張可能な周波数係数Ｓｕｖと同様に、単一クロックサイクル中にブロック５０により書き込まれる量子化された周波数係数Ｓｑｕｖの数もまた、構成要素４４、４６、および４８の処理速度に応じて、１個と６４個の係数の間で拡張可能である。
【００３９】
書き込み機能と並行して、読み出し／書き込みブロック５０は、また、別の「読み出し」格納要素すなわちバンクの内容を読み出しもしくは抽出し、そして抽出された内容をデータ符号化器５２に提供することが可能である。ブロック５０の書き込み速度および読み出し速度は完全に独立であり得る。現在の画像データブロックが、処理されつつある画像データの最初のデータブロックでないとすると、抽出された読み出し格納要素の内容は、前に格納されたもしくは書き込みされた量子化された周波数係数Ｓｑｕｖのセットを含む。データ符号化器５２は、抽出された、量子化された周波数係数ＳｑｕｖにエントロピーもしくはＨｕｆｆｍａｎ符号化を行い、格納、転送、もしくはその他の処理のために符号化データ５４を提供する。ブロック５０の読み出し機能および符号化器５２の符号化機能は、クロックサイクルごとに、拡張可能な数の前に格納された量子化された周波数係数Ｓｑｕｖ（例えば、１個乃至６４個の係数）を用いて行うことができ、符号化器の処理速度に依存しながら、相当する拡張可能な数の符号化データ５４の符号を提供する。
【００４０】
図２Ｂは、書き込み／読み出し格納バンクとして機能する二つの格納要素６６、６８を示す。本例では、格納要素６６、６８の各々は拡張可能なＮｘＭフリップフロップ格納構造（ＮおよびＭは整数）である。格納要素６０、６２もまた、ＮｘＭフリップフロップ格納構造であり得る。拡張可能な２ｘ２フリップフロップ格納構造すなわちバンクの例が図７に示されており、より詳細に後述する。
【００４１】
一般的に、フリップフロップ格納構造は、画像データ処理のための格納要素として通常使用されるＳＲＡＭ格納構造と比較していろいろな便益をもたらす。例えば，ＳＲＡＭ格納構造の所望のセルにデータを書き込むには、通常、格納構造の特定の行にアクセスしかつ読み取り改変書き込み処理を行い、行内の所望のセルにアクセスし書き込む必要がある。さらに、ＳＲＡＭ格納構造のポートの数により、同時に（例えば、単一のクロックサイクルの間に）アクセス可能な行の数は制限され、したがって、同時に書き込むことができる（もしくは読み出しできる）セルの数が制限される。ＳＲＡＭは、通常単一もしくはデュアルポートを有するが、高度にカスタマイズされた、および比較的高価なＳＲＡＭはより多くのポートを有する場合がある。本実施形態では、大きさを容易に拡張でき（しかも比較的安価で）、かつ単一クロックサイクル中に、同時に、任意の行の任意のセルに書き込みおよび任意の行の任意のセルから読み出しするのに使用可能なフリップフロップ格納構造を用いる、それにより、通常のＳＲＡＭを用いた場合に可能と思われるデータ速度より場合によってははるかに高いデータ速度を提供する。さらに、本明細書で使用されるフリップフロップ格納構造は、単一クロックサイクル中に、選択してリセット、セット、もしくはゼロにすることができ、それにより、より詳細に後述するように、さらなる便益を提供し得る。それに対して、通常のＳＲＡＭは、各セルに個別にゼロを書き込む必要があり、これにより、一般的に完了するのに多くのクロックサイクルを要する可能性がある。
【００４２】
次に図４Ａおよび４Ｂを参照すると、例示の画像データ復号器７０が示されている。復号器７０は、符号化された画像データ５４（例えば、図２Ａの符号化データ）を受け取るように構成されている。図示されている例では、符号化データは、直ちにデータ復号器７２に提供される。データ復号器７２は、データ符号化器５２の逆の機能、例えば、逆エントロピーもしくはＨｕｆｆｍａｎ復号化を実行し、量子化された周波数係数Ｓｑｕｖを生成する。８ｘ８画素ブロックの例において、データ復号器７２は、単一のクロックサイクルで、１個と６４個の間の量子化された周波数係数Ｓｑｕｖを生成するように構成されている。係数Ｓｑｕｖの数は、一つには、受け取られた符号化された画像データに依存する場合がある。図４Ｂにおいて、一例を挙げれば、得られた量子化された周波数係数Ｓｑｕｖは、格納要素９０に格納され得る。別の例では、得られた１個乃至６４個の量子化された周波数係数Ｓｑｕｖのセットは、別個に格納される必要はなく、より詳細に後述されるように、データ逆シーケンサ、逆量子化器、およびデータ読み出し／書き込みブロックにより単一操作（例えば、単一クロックサイクル）で操作される。
【００４３】
本例では、１個乃至６４個の量子化された周波数係数Ｓｑｕｖのセットは、データシーケンサ４８の操作に起因する所定のシーケンスで配列され得る。従って，量子化された周波数係数Ｓｑｕｖは、直ちにデータ逆シーケンサ７４に提供され、データ逆シーケンサ７４は量子化された周波数係数Ｓｑｕｖを所定のシーケンスの逆に配列する。図４Ｂを参照して、一例を挙げれば、再配列された、得られた量子化された周波数係数Ｓｑｕｖは、格納要素９２に格納され得る。
【００４４】
別の例では、再配列された、得られた量子化された周波数係数Ｓｑｕｖは別個に格納される必要はなく、データ逆シーケンサ７４の後に、量子化された周波数係数Ｓｑｕｖは直ちに逆量子化器７６に提供され、逆量子化器７６は、量子化された周波数係数Ｓｑｕｖを逆量子化する。一の例において、逆量子化器７６は、量子化器４６に関連して上述したときと同じ量子化テーブルおよび量子化係数を用いる。しかしながら，逆量子化器７６は量子化された周波数係数Ｓｑｕｖに対応する量子化係数Ｑｕｖを掛ける、そして量子化器４６により実行された丸めの逆を実行して周波数係数Ｓｕｖを抽出する。
【００４５】
図４Ａの例において、データ読み出し／書き込みブロック７８は、周波数係数Ｓｕｖを「書き込み」格納要素すなわちバンクに書き込む。ブロック７８により単一クロックサイクル中に書き込まれる周波数係数Ｓｕｖの数は、構成要素７２、７４、および７６の処理速度に応じて、１個と６４個の係数（例えば、８ｘ８画素ブロックで）の間で拡張可能である。
【００４６】
書き込み機能と同時に、読み出し／書き込みブロック７８は、また、別の「読み出し」格納要素すなわちバンクの内容を読み出しもしくは抽出することが可能である、そして抽出された内容を逆空間周波数変換器８０に提供する。現在の符号化された画像データブロックが、処理中の画像データの最初のデータブロックではないとすると、抽出された読み出し格納要素の内容は、前に格納されたもしくは書き込みされた周波数係数Ｓｕｖのセットを含む。逆空間周波数変換器８０は、表示、印刷、もしくは他の処理のため元の画像データ４２を抽出するために、変換器４４により実行された空間周波数変換の逆を実行する。ブロック７８の読み出し機能および変換器８０の逆変換機能は、変換器８０の処理速度に応じて、拡張可能な数の、前に格納された周波数係数Ｓｕｖ（例えば、１個乃至６４個の係数）を用いて、クロックサイクルごとに実行され得る。
【００４７】
図４Ｂは、復号器７０の書き込み／読み出し格納バンクとして機能する二つの格納要素９４、９６を示す。本例では、格納要素９４、９６のそれぞれは、拡張可能なＮｘＭフリップフロップ格納構造（ＮおよびＭは整数）である。格納要素９０、９２もまたＮｘＭフリップフロップ格納構造であってもよい。復号器においてフリップフロップ格納構造を用いることの便益は上記と同様である。より具体的には、フリップフロップ格納構造は、容易に（そして比較的安価に）拡張可能であり、そして、同時に、任意の行の任意のセルに書き込みおよび任意の行の任意のセルから読み出しするのに用いることができる。
［４．動作の例］
【００４８】
上記に加え、図５および図６は、例示の実施形態のフローチャートを示す。当該フローチャートで示されるステップは、印刷デバイス２０および／または他のコンピューティング・デバイス等一つ以上の印刷デバイスにより実行され得る。さらに、各個別のステップの態様は、必要に応じて多数のコンピューティング・デバイスの間で利用に供することが可能である。
【００４９】
図５は、例えば、図２Ａおよび図２Ｂの構成要素を使用することができる例示の符号化プロセス１００を示す。プロセス１００において、ブロック１０２では、図２Ａに示されるような画像データブロック等の画像データを受け取る。ブロック１０４では、空間周波数変換器４４が、画像データにＤＣＴを実行する等、空間周波数変換を実行する。
【００５０】
上記のように、ブロック１０６では、得られた一つ以上の周波数係数のセットは次に量子化器４６により操作されて、一つ以上の量子化された周波数係数のセットが生成される。その次に、ブロック１０８では、データシーケンサ４８が量子化された周波数係数のセットを所定のシーケンス（例えば、図３のジグザグシーケンス）に配列する。
【００５１】
ブロック１０８に続いて、ブロック１１０では、データ読み出し／書き込みブロック５０は、量子化された周波数係数Ｓｑｕｖを「書き込み」格納要素すなわちバンクに書き込む。一例を挙げれば、最後の量子化された周波数係数Ｓｑｕｖの後、データ読み出し／書き込みブロック５０は、量子化された周波数係数Ｓｑｕｖの終わりを示すブロック終結（ＥＯＢ）マーカーを追加する。本例において、ＥＯＢマーカーを付けることは、書き込み格納要素の全ての後続値がゼロであることを意味する。より詳細に後述するように、本開示では、ブロック１１４の間に、次の書き込み格納要素の内容をゼロに設定する、それにより、ブロック１１０で、後続値をゼロに設定することを必要とせずにＥＯＢマーカーの追加を容易にする。
【００５２】
ブロック１１２では、読み出し／書き込みブロック５０は、読み出し格納要素すなわちバンクの内容を読み出しもしくは抽出して、抽出した内容をデータ符号化器５２に提供する。またブロック１１２では、データ符号化器５２は、抽出された、量子化された周波数係数ＳｑｕｖにエントロピーもしくはＨｕｆｆｍａｎ符号化を行い、符号化データ５４を格納、転送もしくは他の処理のため提供する。ブロック１１２で、データ符号化器５２は、ＥＯＢマーカーに遭遇した場合、それ以降のデータセルの処理を停止する、それにより、処理時間を低減しかつ電力効率を向上する。ブロック１１２は、ブロック１０２乃至１１０の後の順で図示されているが、実際には、別の画像データブロックがブロック１０２乃至１１０で処理されている間、ブロック１１２の動作は、前に格納された量子化された周波数係数Ｓｑｕｖに対して同時に実行され得る。この構成により、並行処理をより効率的にかつ迅速に実行することができる。
【００５３】
ブロック１１４では、量子化された周波数係数Ｓｑｕｖが書き込み格納要素に書き込まれ、かつデータ符号化器５２が読み出し格納要素からの抽出された量子化された周波数係数Ｓｑｕｖを符号化した後、データ読み出し／書き込みブロック５０は、例えば、読み出し格納要素の内容をゼロに設定する。格納要素がフリップフロップ格納構造である実施形態では、読み出し／書き込みブロック５０（もしくはその他の制御部）は、単一クロックサイクルで格納構造の内容の全てをゼロに設定できる。それに対して、通常のＳＲＡＭでは、各セルに個別にゼロを書き込む必要があるであろう、そして、当該プロセスは完了するのに多くのクロックサイクルを要するであろう。
【００５４】
さらに、ブロック１１４では、読み出し／書き込みブロック５０は、例えば、次の画像データブロックを処理するために読み出し格納要素と書き込み格納要素の使用を互い違いにする。例えば図２Ｂを参照すると、第１のデータ処理期間中に、格納要素６６は書き込みバンクとして機能し、格納要素６８は読み出しバンクとして機能する。ブロック１１４では、データ読み出し／書き込みブロック５０は、格納要素６８の各セルをゼロに設定する、そして、続くデータ処理の第２の期間の間、次の画像データブロックに相当する量子化された周波数係数Ｓｑｕｖのセットを格納要素６８に書き込み、データ符号化器５２による処理のために格納要素６６から量子化された周波数係数Ｓｑｕｖを読み出す。ブロック１１４の後、制御はブロック１０２に戻り、上記のように次の画像データブロックを処理することができる。
【００５５】
格納要素６６、６８のフリップフロップデータ構造により、拡張可能な数の量子化された周波数係数Ｓｑｕｖを格納要素の対応するセルに、同時に（単一クロックサイクルの間に）書き込むことができる。また、フリップフロップデータ構造により、格納要素の内容の全てを単一クロックサイクルの間にゼロに設定することができる。この格納内容をゼロにする設定は、フリップフロップデータ構造により容易化され、そして、次の量子化された周波数係数Ｓｑｕｖのセットが計算されるとすぐに格納要素に格納できることにより、計算の（およびエネルギーの）節約をもたらす。
【００５６】
図６は、例えば、図４Ａおよび図４Ｂの構成要素を使用できる、例示の復号化プロセス１４０を示す。プロセス１４０において、ブロック１４２では、データ復号器７２は、符号化された画像データ（図２Ａの符号化データ５４等）を受け取る。ブロック１４４では、データ復号器７２は、データ符号化器５２の逆の機能を実行して量子化された周波数係数Ｓｑｕｖを生成する。
【００５７】
上記のように、ブロック１４６では、データ逆シーケンサ７４は、量子化された周波数係数Ｓｑｕｖを所定のシーケンスの逆に配列する。次に、ブロック１４８では、逆量子化器７６は、量子化された周波数係数Ｓｑｕｖを逆量子化して周波数係数Ｓｕｖを提供する。ブロック１４８では、逆量子化器７６がＥＯＢマーカーに遭遇した場合、逆量子化器７６はその後のデータ処理を停止する、そしてそれにより処理時間を低減しかつ電力効率を向上する。次に、ブロック１５０では、データ読み出し／書き込みブロック７８は、周波数係数Ｓｕｖを書き込み格納要素に書き込む。
【００５８】
ブロック１５２では、読み出し／書き込みブロック７８は、読み出し格納要素の内容を読み出しもしくは抽出し、そして抽出された周波数係数Ｓｕｖを逆空間周波数変換器８０に提供する。逆空間周波数変換器８０は、表示、印刷、もしくは他の処理のために元の画像データ４２を抽出するために、変換器４４により実行された空間周波数変換の逆を実行する。ブロック１５２は、ブロック１４２乃至１５０の後の順序で図示されているが、実際は、別の符号化された画像データブロックがブロック１４２乃至１５０で処理されている間、ブロック１５２の動作は、前に格納された周波数係数Ｓｕｖに対して同時に実行され得る。この構成により、平行処理をより効率的に実行することができる。
【００５９】
ブロック１５４では、周波数係数Ｓｕｖが書き込み格納要素に書き込まれ、そして変換器８０が読み出し格納要素からの抽出された周波数係数Ｓｕｖを変換した後、データ読み出し／書き込みブロック７８は、例えば、読み出し格納要素の内容をゼロに設定し、次の符号化された画像データブロックを処理するために読み出し格納要素と書き込み格納要素の使用を互い違いにする。格納要素が、フリップフロップ格納構造である実施形態においては、読み出し／書き込みブロック７８（もしくはその他の制御部）は、単一クロックサイクルで格納構造の内容の全てをゼロに設定できる。それに対して、通常のＳＲＡＭは、各セルに個別にゼロを書き込むことが必要であろう、そして当該プロセスは完了するのに多くのクロックサイクルを要するであろう。
【００６０】
例えば図４Ｂを参照すると、第１のデータ処理期間中に、格納要素９４は書き込みバンクとして機能し、格納要素９６は、読み出しバンクとして機能する。ブロック１５４で、データ読み出し／書き込みブロック７８は、格納要素９６の各セルをゼロに設定する、そして、続くデータ処理の第２の期間の間、次の符号化された画像データブロックに相当する周波数係数Ｓｕｖのセットを格納要素９６に書き込み、そして変換器８０による処理のために格納要素９４から周波数係数Ｓｕｖを読み出す。ブロック１５４の後、制御はブロック１４２に戻り、上記のように次の符号化された画像データブロックを処理することができる。
［５．例示のフリップフロップ格納要素］
【００６１】
次に図７を参照すると、例示の２ｘ２フリップフロップメモリバンク構造２００が示されている。図７において、４つのフリップフロップメモリ素子Ｗ、Ｘ、Ｙ、およびＺが示されている。メモリバンク構造２００は、さらなるフリップフロップメモリ素子を追加して、図２Ｂおよび図４Ｂに示されているように、メモリバンクを８ｘ８まで拡張する等、任意の数の所望のデータ行および列を含むように拡大もしくは縮小することができる。
【００６２】
図７において、メモリバンク２００は、各フリップフロップメモリ素子の格納機能を動作させるために使用されるクロック入力Ｃを含む。例えば、クロック入力Ｃの立ち上がりエッジは格納機能を動作させることができる。
【００６３】
メモリバンク２００は、また、切替え／リセット信号を含む。例示的な一実施形態において、クロック入力Ｃの立ち上がりエッジ時、他のいかなる入力にかかわらず、任意の所望のフリップフロップメモリ素子に格納されている現在データＱは、論理ゼロの状態に設定され得る。上記のように、初期化中もしくはリセット命令がある場合、切替え／リセット信号入力は論理１に設定され、そしてクロック入力Ｃの立ち上がりエッジ後、格納要素の全ての内容は論理ゼロに設定されるように、切替え／リセット信号入力は、全てのフリップフロップ格納要素に共通にできる。
【００６４】
さらに、メモリバンク２００は、イネーブル信号を含む。１例を挙げれば、クロック入力  Ｃの立ち上がりエッジ時、切替え／リセット信号が論理ゼロである場合、論理１であるイネーブル信号は、データ内容入力Ｄを各個別のフリップフロップ格納要素に格納させる。出力Ｑは、次に、各個別のフリップフロップ格納要素に格納されている現在データを示す。全ての出力は使用することが可能（読み出すことができる）であり、図２Ａおよび図４Ａの例におけるデータ符号化器５２および逆空間周波数変換器８０等、読み出しデータを必要とするブロックもしくは構成要素によりそれぞれ選択され得る。
【００６５】
さらに、メモリバンク２００は、各フリップフロップ格納素子のデータ内容入力Ｄに接続されるデータ選択モジュールを含む。データ選択モジュールは、該当するフリップフロップ格納素子のデータ内容入力Ｄとしてどのデータ（本例におけるＤａｔａ０、Ｄａｔａ１、Ｄａｔａ２、Ｄａｔａ３）を選択すべきか特定する選択信号を受け取る。
【００６６】
図７は、また、どのフリップフロップ格納要素をどんなデータ内容で更新すべきかを選択する機能を果たす書き込みアドレス復号器モジュールを含む。例えば、Ｗｒｉｔｅ＿Ａｄｄｒｅｓｓ＿０が、フリップフロップＹを「指し示す」場合、書き込みアドレス復号器モジュールは、イネーブルＹ信号およびデータ選択Ｙ信号を生成して、更新対象のＷｒｉｔｅ＿Ｄａｔａ＿０を選択する。Ｗｒｉｔｅ＿Ａｄｄｒｅｓｓ＿１は、別のフリップフロップ格納要素を指し示す等である。各画素は、８ｘ８構造において特定の位置を占めているので、この構成はアドレス衝突を起こすことがない、なぜならば、同じフリップフロップ格納要素は書き込みアドレス復号器モジュールの一つ以上のＷｒｉｔｅ＿Ａｄｄｒｅｓｓ＿Ｎにより指し示されることがなく、単一クロックサイクルで複数のデータが書き込まれることが可能だからである。このことは、通常、ＳＲＡＭ格納要素を使用する既知のＪＰＥＧ復号化プロセスに比較してさらなる潜在的な便益である。
【００６７】
書き込みアドレス復号器モジュールは、必要に応じて一つ以上の書き込みポートに拡張でき、単一クロックサイクルで任意の数のデータセルの格納を可能にする。例えば，ＪＰＥＧ画像処理では、通常の画像データブロックは、６４個の相当するデータセルを含み得る８ｘ８画素ブロックである。書き込みアドレス復号器は、１個乃至６４個の書き込みポートに拡張可能であり、したがって、単一クロックサイクルで６４個の異なる格納セルに書き込むことができる。
［６．結論］
【００６８】
本出願において記述されている具体的な実施形態に関して、本開示は限定されるべきではなく、それらはいろいろな態様の実例として意図されている。当業者にとって明白であるように、本開示の主旨と範囲から逸脱することなく多くの変更および変形をすることが可能である。本記載に列挙されていることに加え、本開示の範囲内の機能的に等価な方法および装置は前述の記載から明白であろう。そのような変更および変形は、添付された請求項の範囲内に入るように意図されている。
【００６９】
図面における、任意のすなわち全てのラダー図、シナリオ、およびフローチャートに関しておよび本記載で述べられたように、各ブロックおよび／または通信は、例示の実施形態に従って情報を処理しおよび／または情報を送信することを表し得る。他の実施形態もそのような例示の実施形態の範囲に含まれ得る。さらに、より多くのもしくはより少ないブロックおよび／または機能が、本記載に記述されているどのラダー図、シナリオ、およびフローチャートと共に使用されてもよいし、また当該ラダー図、シナリオ、およびフローチャートは、部分的にもしくは全体的にお互いに結合されてもよい。
【００７０】
情報の処理を表すステップもしくはブロックは、本記載の方法もしくは技術の具体的な論理機能を実行するように構成することが可能な回路に相当し得る。それに代えてまたはさらに、情報の処理を表すステップもしくはブロックは、モジュール、セグメント、もしくはプログラムコードの一部分（関連するデータを含めて）に相当し得る。プログラムコードは、方法もしくは技術における具体的な論理機能もしくは動作を実行するための、処理部により実行可能な一つ以上の命令を含み得る。プログラムコードおよび／または関連するデータは、ディスクドライブ、ハードドライブ、もしくはその他の記憶媒体を含む記憶装置等の任意の種類のコンピュータ読み取り可能な媒体に格納することが可能である。
【００７１】
コンピュータ読み取り可能な媒体は、また、レジスタメモリ、プロセッサキャッシュ、および／またはランダムアクセスメモリ（ＲＡＭ）のような短期間データを格納するコンピュータ読み取り可能な媒体等の、非一時的でコンピュータ読み取り可能な媒体を含み得る。コンピュータ読み取り可能な媒体は、また、例えば、リードオンリーメモリー（ＲＯＭ）、光学もしくは磁気ディスク、および／またはコンパクトディスク・リードオンリーメモリー（ＣＤ―ＲＯＭ）のような、二次的もしくは持続的長期記憶装置等、より長期間プログラムコードおよび／またはデータを格納する非一時的でコンピュータ読み取り可能な媒体を含み得る。コンピュータ読み取り可能な媒体は、また、他の揮発性もしくは不揮発性記憶システムでもあり得る。コンピュータ読み取り可能な媒体は、また、例えば、コンピュータ読み取り可能な記憶媒体および／または有形の記憶デバイスと考えることができる。
【００７２】
本記載においてさまざまな態様および実施形態が開示されてきたが、他の態様および実施形態も当業者にとって明白であろう。本記載において開示されたさまざまな態様および実施形態は、例示目的であって限定することを意図するものではなく、真の範囲と主旨は以下の請求項により示されている。
【符号の説明】
【００７３】
２０  印刷デバイス
２２  給紙／排紙トレイ
２４  用紙保管部
２６  ユーザインターフェース
２８  スキャニング要素
３０  筐体
４０  符号化器
４４  変換器
４６  量子化器
４８  データシーケンサ
５２  データ符号化器
７０  復号器
７２  データ復号器
７４  データ逆シーケンサ
７６  逆量子化器
８０  変換器
【図１】
0006531640.tif 000002
【図２Ａ】
0006531640.tif 000003
【図２Ｂ】
0006531640.tif 000004
【図３】
0006531640.tif 000005
【図４Ａ】
0006531640.tif 000006
【図４Ｂ】
0006531640.tif 000007
【図５】
0006531640.tif 000008
【図６】
0006531640.tif 000009
【図７】
0006531640.tif 000010